(57)【要約】    【課題】  透明カバーと表示器の表示面との間のメンテナンスを容易に行うことが可能となる電子楽器を提供する。    【解決手段】  本体パネル２の略中央には、１段低い位置に方形領域２ａが形成され、該方形領域２ａの略中央のさらに１段低い位置には、表示器であるＬＣＤ４を設置するための窓部２ｂが形成されている。保護カバー５は、その屈曲部５ａを方形領域２ａの前端部に引っ掛けた後、方形領域２ａにはめ込む。そして、各ネジ６を各孔５ｃに挿通させ、各ネジ孔２ｃに螺合させることにより、保護カバー５を方形領域２ａに固定させる。その後、凹部５ｂに、凹部５ｂと同じ形状の、不透明部材で形成された名版７をはめ込む。【選択図】    図３
2005191272.tif 000002
【特許請求の範囲】
【請求項１】
各種情報を適宜切り換えて表示する表示器と、
該表示器が取り付けられる本体パネルであって、該表示器の取り付け位置の周辺部に被係止部と被固着部とを形成したものと、
前記表示器を覆う保護カバーであって、前記被係止部に対応する位置に係止片を形成するとともに、前記被固着部に対応する位置に固着部を形成し、さらに、少なくとも前記表示器の表示部に対応する位置に透明窓部を形成したものと、
前記保護カバーの係止片を前記本体パネルの被係止部に係止させ、前記保護カバーの固着部を前記本体パネルの被固着部に着脱自在に固着させたときに、前記保護カバーの固着部を覆うための、少なくとも一部不透明な表示プレートと
を有することを特徴とする電子楽器。
【発明の詳細な説明】
【技術分野】
【０００１】
本発明は、各種情報を適宜切り換えて表示する表示器を備えた電子楽器に関する。
【背景技術】
【０００２】
各種情報を適宜切り換えて表示する表示器を備えた電子楽器は、従来から知られている。
【０００３】
このような電子楽器は、通常、表示器の表示面を保護するための透明カバーを、本体パネルに対して、その外側または内側から固着し、この透明カバーの下から表示器をはめ込み、ネジ等を用いて本体パネルの内側から着脱可能に表示器を固定するようにしている（たとえば、特許文献１参照）。
【特許文献１】特開平７−３２５２９２号公報
【発明の開示】
【発明が解決しようとする課題】
【０００４】
しかし、上記従来の電子楽器では、透明カバーと表示器の表示面との間に異物が入り、その異物を取り除きたい場合や、透明カバーの内面が結露して、透明カバーの内面を掃除したい場合には、透明カバーを本体パネルから取り外すことはできないので、まず、本体パネルを取り外し、次に、ネジを緩めて表示器を本体パネルから取り外すことにより、異物を取り除いたり、透明カバーの内面を掃除したりしなければならず、面倒であった。
【０００５】
本発明は、この点に着目してなされたものであり、透明カバーと表示器の表示面との間のメンテナンスを容易に行うことが可能となる電子楽器を提供することを目的とする。
【課題を解決するための手段】
【０００６】
上記目的を達成するため、請求項１に記載の電子楽器は、各種情報を適宜切り換えて表示する表示器と、該表示器が取り付けられる本体パネルであって、該表示器の取り付け位置の周辺部に被係止部と被固着部とを形成したものと、前記表示器を覆う保護カバーであって、前記被係止部に対応する位置に係止片を形成するとともに、前記被固着部に対応する位置に固着部を形成し、さらに、少なくとも前記表示器の表示部に対応する位置に透明窓部を形成したものと、前記保護カバーの係止片を前記本体パネルの被係止部に係止させ、前記保護カバーの固着部を前記本体パネルの被固着部に着脱自在に固着させたときに、前記保護カバーの固着部を覆うための、少なくとも一部不透明な表示プレートとを有することを特徴とする。
【発明の効果】
【０００７】
請求項１に記載の発明によれば、保護カバーの係止片を、表示器が取り付けられる本体パネルの被係止部に係止させ、前記保護カバーの固着部を前記本体パネルの被固着部に着脱自在に固着させるようにしたので、保護カバーと表示器の表示面との間のメンテナンスを容易に行うことが可能となる。
【発明を実施するための最良の形態】
【０００８】
以下、本発明の実施の形態を図面に基づいて詳細に説明する。
【０００９】
図１は、本発明の一実施の形態に係る電子楽器を適用した電子鍵盤楽器の全体構成を示す平面図である。
【００１０】
同図に示すように、本実施の形態の電子鍵盤楽器は、主として、鍵盤１と、本体パネル２と、鍵盤１および本体パネル２を支持するフレーム（図２の部材３）とによって構成されている。なお、以下、本装置の演奏者側を「前方」と言う。
【００１１】
本体パネル２の略中央には、１段低い位置に方形領域２ａが形成され、該方形領域２ａの略中央のさらに１段低い位置には、表示器であるＬＣＤ（Liquid Crystal Display）４を設置するための窓部２ｂが形成されている。そして、方形領域２ａには、ＬＣＤ４の表示面を保護するための透明の保護カバー５がはめ込まれている。ＬＣＤ４の表示面は、通常、柔らかい部材によって形成されているので、傷が付きやすい。保護カバー５は、このような傷が付かないように、ＬＣＤ４の表示面を保護するためにある。また、本体パネル２には、スピーカや各種操作子も取り付けられている。
【００１２】
図２は、図１のＡ−Ａ線に沿う縦断面の拡大図である。
【００１３】
同図に示すように、ＬＣＤ４は、本体パネル２の内側から窓部２ｂに嵌め込まれ、回路基盤１０とフラットケーブル４ａによって接続されている。回路基盤１０は、複数のネジ１１によって本体パネル２に取り付けられている。そして、回路基盤１０には、ＬＣＤ４用のインターフェース回路、前記各操作子の操作状態を検出する検出回路、本実施の形態の電子鍵盤楽器全体を制御するためのＣＰＵ等が設けられている。
【００１４】
図３は、本体パネル２の中央部の分解斜視図である。
【００１５】
同図に示すように、方形領域２ａの内周部には、弾性部材からなるクッション材２１が接着されている。クッション材２１は、保護カバー５と方形領域２ａとが緩衝し合って発生するがたがた音の発生を抑制する機能と、保護カバー５と方形領域２ａとの間に異物が侵入しないようにする機能とを営んでいる。なお、クッション材２１は、方形領域２ａに接着後、方形領域２ａを含む本体パネル２を塗装するようにすれば、本体パネル２とともにクッション材２１も塗装されるので、両者に一体感が生まれる。
【００１６】
保護カバー５は、たとえば、透明のアクリル樹脂からなる成型部材であり、その前端部には、方形領域２ａの前端部に引っ掛けるための屈曲部５ａが形成され、さらに、その後方部には、台形状の凹部５ｂが形成されている。この凹部５ｂには、２つのネジ５ｃをそれぞれ挿通する孔５ｃが形成されている。そして、方形領域２ａの、この孔５ｃに対応する位置には、ネジ孔２ｃが形成されてる。保護カバー５の前端部には、鍵盤１の鍵に対応して、当該鍵に割り当てられた機能を示すマーク５ｄが印刷されている。同様に、本体パネル２の前端部にも、鍵盤１の鍵に対応して、当該鍵に割り当てられた機能を示すマーク２ｄが印刷されている。なお、マーク２ｄおよび５ｄは、図示例では、四角形で表されているが、実際には、当該機能を表現したものである。このように、保護カバー５上にマーク５ｄを印刷することにより、保護カバー５に比べて非常に大きい本体パネル２に印刷するマークの数を少なくできるので、印刷の手間をそれだけ削減することができる。
【００１７】
方形領域２ａの表面には、横縞状の凹凸が形成されている。方形領域２ａは、前述のように、本体パネル２の表面から１段下がった位置に形成されており、その上には、透明の保護カバー５がはめ込まれている。これにより、演奏者（ユーザ）は、方形領域２ａに対して奥行き感を得ることができるので、見栄えがよくなる。
【００１８】
保護カバー５は、その屈曲部５ａを方形領域２ａの前端部に引っ掛けた後、方形領域２ａにはめ込む。そして、各ネジ６を各孔５ｃに挿通させ、各ネジ孔２ｃに螺合させることにより、保護カバー５を方形領域２ａに固定させる。その後、凹部５ｂに、凹部５ｂと同じ形状の、不透明部材で形成された名版７をはめ込む。ここで、名版７には、たとえば、製造／販売メーカの名称やマーク、機種名などが表示されている。名版７は、不透明部材で形成されているため、ネジ６を隠す機能も営んでいる。さらに、名版７の周囲は、透明部材によって構成されているので、名版７は、その周囲から浮き上がって見え、見栄えがよくなる。
【００１９】
このように、保護カバー５をネジ６により本体パネル２に着脱自在に固定するようにしたので、保護カバー５を本体パネル２に確実に固定できるとともに、ＬＣＤ４およびその近傍に対するメンテナンスの際には、保護カバー５を本体パネル２から容易に取り外すことができるので、アクセスが容易になる。また、保護カバー５の後方に名版７を設け、それより手前にＬＣＤ４を設置するようにしたので、演奏者はＬＣＤ４を見易くなる。また、係止位置（屈曲部５ａを引っ掛ける位置）と固着位置（保護カバー５を本体パネル２に固着させる位置、すなわち凹部５ｂの位置）とをできるだけ離間させたので、保護カバー５の剛性が弱くても、しっかり固定でき、さらに、固着個所も少なくて済む。
【００２０】
図４は、保護カバーの他の一例を示す図であり、図２に対応するものである。
【００２１】
図２の保護カバー５が、屈曲部５ａを形成し、この屈曲部５ａを本体パネル２（方形領域２ａ）の前端部に引っ掛けるようにしたのに対して、図４の保護カバー５′は、その前端部に差込片５′ａを形成し、この差込片５′ａを、本体パネル２′側に設けられた被差込部２′ａに差し込むようにした点が異なっている。なお、保護カバー５′は、本体パネル２′の前端部まで延びていないので、鍵盤１の各鍵に割り当てられた各機能を表すマークは、保護カバー５′上に印刷することはできない。したがって、保護カバー５′を採用した場合、マークは、すべて本体パネル２′上に印刷する必要がある。
【００２２】
他の構成およびその作用・効果は、図２の保護カバーと同様であるので、その説明は省略する。
【００２３】
なお、保護カバー５および５′はいずれも、全体が透明なものを採用したが、これに限らず、一部領域、つまりＬＣＤ４の表示面を認識できる領域だけ透明で、それ以外は半透明なものを採用してもよい。
【図面の簡単な説明】
【００２４】
【図１】本発明の一実施の形態に係る電子楽器を適用した電子鍵盤楽器の全体構成を示す平面図である。
【図２】図１のＡ−Ａ線に沿う縦断面の拡大図である。
【図３】図１の本体パネルの中央部の分解斜視図である。
【図４】保護カバーの他の一例を示す図である。
【符号の説明】
【００２５】
４…ＬＣＤ（表示器），５ａ…屈曲部（係止片），５′ａ…差込片（係止片），５ｂ…凹部（固着部），７…名版（表示プレート）
【図１】
2005191272.tif 000003
【図２】
2005191272.tif 000004
【図３】
2005191272.tif 000005
【図４】
2005191272.tif 000006